(57)【要約】【課題】  正確なエネルギー散逸像を得ることのできる原子間力顕微鏡及び原子間力顕微鏡を用いたエネルギー散逸像の形成方法を提供すること。【解決手段】  原子間力顕微鏡は、試料２１と接触するための探針２０を有するカンチレバー１と、カンチレバー１に振動を加えるための加振手段と、設定された振幅設定値に基づいて加振手段を制御するための加振制御手段と、カンチレバー１の振動の振幅を検出する振幅検出手段１７と、カンチレバー１の振動に基づくエネルギーの散逸像を形成する像作成手段１９とを具備し、当該振幅設定値と振幅検出手段により検出された振幅検出値との差異に基づく差異情報を加振手段にフィードバックすることにより、カンチレバー１が共振状態となるように加振手段がカンチレバー１を振動させるとともに、当該差異情報に基づいて像作成手段１９がエネルギーの散逸像を形成する。【選択図】図１
2006292720.tif 000002
【特許請求の範囲】
【請求項１】
試料と接触するための探針を有するカンチレバーと、カンチレバーに振動を加えるための加振手段と、設定された振幅設定値に基づいて加振手段を制御するための加振制御手段と、カンチレバーの振動の振幅を検出する振幅検出手段と、カンチレバーの振動に基づくエネルギーの散逸像を形成する像作成手段とを具備した原子間力顕微鏡において、当該振幅設定値と振幅検出手段により検出された振幅検出値との差異に基づく差異情報を加振手段にフィードバックすることにより、カンチレバーが共振状態となるように加振手段がカンチレバーを振動させるとともに、当該差異情報に基づいて像作成手段がエネルギーの散逸像を形成することを特徴とする原子間力顕微鏡。
【請求項２】
加振手段は増幅器を有しており、フィードバックされた当該差異情報に基づいて当該増幅器のゲインが調整されることを特徴とする請求項１記載の原子間力顕微鏡。
【請求項３】
加振制御手段はカンチレバーの振動の位相を検出し、検出された位相の変化量に基づいて加振制御手段が加振手段に負帰還をかけることを特徴とする請求項１若しくは２記載の原子間力顕微鏡。
【請求項４】
試料と接触するための探針を有するカンチレバーと、カンチレバーに振動を加えるための加振手段と、設定された振幅設定値に基づいて加振手段を制御するための加振制御手段と、カンチレバーの振動の振幅を検出する振幅検出手段と、カンチレバーの振動に基づくエネルギーの散逸像を形成する像作成手段とを具備する原子間力顕微鏡を用いたエネルギー散逸像の形成方法において、当該振幅設定値と振幅検出手段により検出された振幅検出値との差異に基づく差異情報を加振手段にフィードバックすることにより、カンチレバーが共振状態となるように加振手段がカンチレバーを振動させるとともに、当該差異情報に基づいて像作成手段がエネルギーの散逸像を形成することを特徴とする原子間力顕微鏡を用いたエネルギー散逸像の形成方法。
【請求項５】
原子間力顕微鏡に具備された加振手段は増幅器を有しており、フィードバックされた当該差異情報に基づいて当該増幅器のゲインが調整されることを特徴とする請求項４記載の原子間力顕微鏡を用いたエネルギー散逸像の形成方法。
【請求項６】
原子間力顕微鏡に具備された加振制御手段はカンチレバーの振動の位相を検出し、検出された位相の変化量に基づいて加振制御手段が加振手段に負帰還をかけることを特徴とする請求項４若しくは５記載の原子間力顕微鏡を用いたエネルギー散逸像の形成方法。
【発明の詳細な説明】
【技術分野】
【０００１】
本発明は、試料の物性評価を行うのに好適な原子間力顕微鏡及び原子間力顕微鏡を用いたエネルギー散逸像の形成方法に関する。
【背景技術】
【０００２】
コンタクトモードで動作する原子間力顕微鏡（ＡＦＭ）のカンチレバーのたわみ振動の共振周波数から、カンチレバーの探針と接触する試料表面の部分の接触弾性を評価する技術として、超音波原子間力顕微鏡が開発されている。この超音波原子間力顕微鏡を用いた試料評価方法では、力変調モードの接触弾性評価技術に比べて、柔らかいカンチレバーを用いて固い試料の接触弾性を評価できるという特長を有し、金属、セラミックス、半導体などの評価に適している（例えば、非特許文献１参照）。
【０００３】
そして、共振周波数と共振ピーク幅の比として定義されるＱ値から、カンチレバーの探針と接触する試料表面の部分におけるエネルギーの散逸特性を擬似的に評価できる（例えば、非特許文献２参照）。
【０００４】
また、カンチレバーのねじり振動を用いて、ヤング率、せん断弾性率、及びポアソン比を分離して、より完全な弾性特性の評価を行う方法も提案されている（例えば、非特許文献３参照）。
【０００５】
さらに、カンチレバーの走査を高速化させ、各画素でのＱ値をマッピングすることにより、カンチレバーの探針と接触する試料表面の部分のエネルギーの散逸を画像化する手法も提案されている（例えば、非特許文献４及び特許文献１参照）。
【０００６】
この超音波原子間力顕微鏡は、カンチレバーの共振を用いる点で、周波数変調モードの非接触原子間力顕微鏡（ＮＣ−ＡＦＭ）技術と似ている面もあるが、本質的な相違がある。すなわち、ＮＣ−ＡＦＭではカンチレバーが１０ｎｍを超える大振幅で振動して、カンチレバーの探針が試料から離れるのに対し、超音波原子間力顕微鏡では、カンチレバーの探針が試料と常に接触した状態でカンチレバーが１ｎｍ以下の小振幅で振動する。
【０００７】
この結果、力と変位の比である力勾配または接触弾性が振動の１周期にわたってほとんど一定となり、高精度な定量的評価が実現できる利点がある。このため、ナノテクノロジー分野の電子・機械材料の評価技術及び電子顕微鏡の欠点を補う新しい格子欠陥解析法として期待されている。
【０００８】
ここで、従来技術における原子間力顕微鏡の構成を図２に示す。同図において、試料２１は試料台４に載置されている。また、カンチレバー１の先端には探針２０が設けられている。探針２０は試料２に対して対向配置されている。
【０００９】
カンチレバー１にレーザーダイオード（ＬＤ）２の光を照射し、その反射光をミラー２４を介して分割フォトダイオード（ＦＤ）３により検出する。これによる検出信号は、演算部５に送られる。演算部５は、カンチレバー１のたわみを表すカンチレバー信号を出力する。
【００１０】
演算部５からのカンチレバー信号は分岐される。そして、分岐された一方のカンチレバー信号はローパスフィルタ（ＬＰＦ）６を介してｚ軸制御装置７に入力する。ｚ軸制御装置７は、試料台４に載置された試料２１のｚ位置を制御する。
【００１１】
また、分岐された他方のカンチレバー信号は、バンドパスフィルター（ＢＰＦ）１１を介して位相比較器１２に入力される。さらに、発信器８の出力信号が、増幅器９により増幅された後に分岐され、可変位相シフター２２を介して位相比較器１２に入力される。
【００１２】
位相比較器１２の出力信号Ｖｐは誤差増幅器１３に入力される。また、誤差増幅器１３には、参照電圧信号Ｖｒｅｆも入力される。誤差増幅器１３は、これらの信号の誤差に比例する出力信号ＶＥを出力する。出力信号ＶＥは、スイッチ１４を介して加算器１６に入力される。
【００１３】
また、電源電圧回路１５の出力Ｖｏも加算器１６に入力される。加算器１６の出力Ｖは、発信器８に入力される。発信器８の出力は、増幅器９を介して、超音波振動子１０に帰還される。
【００１４】
さらに、バンドパスフィルター１１の出力信号は、振幅検出器１７と周波数復調器１８とに供給される。振幅検出器１７の出力信号と周波数復調器１８の出力信号は、像作成手段１９に入力される。
【００１５】
像作成手段１９は、振幅検出器１７からの出力信号に基づいてＱ値像を作成するとともに、周波数復調器１８からの出力信号に基づいて共振周波数像を作成する。
【００１６】
ここで、エネルギー散逸像を得るためには、本来、カンチレバーの振幅が一定となるように外部から加振されるエネルギーを画像化する必要がある。
【００１７】
しかしながら、従来技術においては、一定加振電圧でカンチレバーを振動させ、このとき得られる振幅検出器１７からの出力を像作成手段１９に直接供給し、振幅検出器１７からの出力そのものに基づいて像作成手段１９が擬似的にエネルギーの散逸像を作成していた。
【００１８】
【非特許文献１】K.Yamanaka and S. Nakano,Jpn.J.Appl.Phys.35,93(1996)
【非特許文献２】O.Wright and N.Nishiguchi,Appl.Phys.Lett.71,626(1997)
【非特許文献３】K.Yamanaka and S.Nakano,Appl.Phys.A,66,S313,(1998)
【非特許文献４】K.Yamanaka et al,Appl.Phys.Lett.78,1939(2001)
【特許文献１】特開平２００２−２７７３７８号公報
【発明の開示】
【発明が解決しようとする課題】
【００１９】
従来技術においては、エネルギー散逸像を得る場合に、一定加振電圧でカンチレバーを振動させ、このとき得られる振幅検出器からの出力そのものに基づいて擬似的にエネルギーの散逸像を作成していた。このような従来技術においては、正確なエネルギー散逸像を得ることができなかった。
【００２０】
本発明は、このような点に鑑みてなされたものであり、正確なエネルギー散逸像を得ることのできる原子間力顕微鏡及び原子間力顕微鏡を用いたエネルギー散逸像の形成方法を提供することを目的とする。
【課題を解決するための手段】
【００２１】
本発明に基づく原子間力顕微鏡は、試料と接触するための探針を有するカンチレバーと、カンチレバーに振動を加えるための加振手段と、設定された振幅設定値に基づいて加振手段を制御するための加振制御手段と、カンチレバーの振動の振幅を検出する振幅検出手段と、カンチレバーの振動に基づくエネルギーの散逸像を形成する像作成手段とを具備した原子間力顕微鏡であって、当該振幅設定値と振幅検出手段により検出された振幅検出値との差異に基づく差異情報を加振手段にフィードバックすることにより、カンチレバーが共振状態となるように加振手段がカンチレバーを振動させるとともに、当該差異情報に基づいて像作成手段がエネルギーの散逸像を形成することを特徴とする。
【００２２】
また、本発明に基づく原子間力顕微鏡を用いたエネルギー散逸像の形成方法は、試料と接触するための探針を有するカンチレバーと、カンチレバーに振動を加えるための加振手段と、設定された振幅設定値に基づいて加振手段を制御するための加振制御手段と、カンチレバーの振動の振幅を検出する振幅検出手段と、カンチレバーの振動に基づくエネルギーの散逸像を形成する像作成手段とを具備する原子間力顕微鏡を用いたエネルギー散逸像の形成方法であって、当該振幅設定値と振幅検出手段により検出された振幅検出値との差異に基づく差異情報を加振手段にフィードバックすることにより、カンチレバーが共振状態となるように加振手段がカンチレバーを振動させるとともに、当該差異情報に基づいて像作成手段がエネルギーの散逸像を形成することを特徴とする。
【発明の効果】
【００２３】
本発明においては、振幅設定値と振幅検出手段により検出された振幅検出値との差異に基づく差異情報を加振手段にフィードバックすることにより、カンチレバーが共振状態となるように加振手段がカンチレバーを振動させ、このときの当該差異情報に基づいて像作成手段がエネルギーの散逸像を形成する。
【００２４】
このとき当該差異情報は、カンチレバーの共振状態における振動の振幅が一定となるように加振手段に加えられるエネルギーに対応するものであるので、当該エネルギーを画像化することができ、正確なエネルギー散逸像を取得することができる。
【発明を実施するための最良の形態】
【００２５】
以下、図面を参照して、本発明について説明する。図１は、本発明における原子間力顕微鏡の構成を示す図である。図１において、２０は、カンチレバー１の先端に取り付けられた探針である。この探針２０に対向して試料２１が配置されている。この試料２１は、試料台４の上に置かれている。試料台４はＸＹ軸位置とＺ軸位置を制御自在なピエゾチューブスキャナから構成されている。探針２０は試料２１と接触するためのものである。
【００２６】
また、カンチレバー１にレーザーダイオード（ＬＤ）２の光を照射し、その反射光をミラー２４を経て分割フォトダイオード（ＰＤ）３で検出し、カンチレバー１のたわみを表すカンチレバー信号を取得する光学系が設けられている。
【００２７】
さらに、カンチレバー１のたわみによる傾斜角に比例するカンチレバー信号を出力する演算部５、その演算部５から２つに分岐されたカンチレバー信号の一方が入力されるローパスフィルタ（ＬＰＦ）６、及びローパスフィルタ（ＬＰＦ）６からの信号に基づいて、試料のｚ位置を制御するｚ軸制御装置７が設けられている。
【００２８】
本発明の一例である図１の装置では、超音波原子間力顕微鏡の構成要素として、発振器８とこれにより発生した交流信号を増幅する増幅器９が設けられ、この出力信号はカンチレバー保持部の超音波振動子１０に供給される。
【００２９】
カンチレバー信号における分岐後の一方の信号は、バンドパスフィルター（ＢＰＦ）１１を経由して位相比較器１２の信号入力端子に供給される。また、発振器８の出力信号も、増幅器９により増幅された後に分岐し、可変位相シフター２２を経由して、上記位相比較器１２の参照信号端子に供給される。
【００３０】
この位相比較器１２の出力信号Ｖｐは、制御プログラムによって予め指定できる参照電圧信号Ｖｒｅｆと共に誤差増幅器１３に入力される。参照電圧信号Ｖｒｅｆに対する出力信号Ｖｐの誤差に比例する出力信号ＶＥは、スイッチ１４を経由して、加算器１６の入力側（入力端子）に入力される。
【００３１】
一方、制御プログラムによって指定できる一定の電圧を供給する電圧供給回路１５の出力Ｖｏが加算器１６の他の入力端子に入力される。加算器１６の出力Ｖは、発振器８の入力端子に入力される。発振器８の出力は、増幅器９を経て、ピエゾ素子から構成される超音波振動子１０に帰還されカンチレバー１を振動させる。
【００３２】
また、バンドパスフィルター１１の出力信号は、振幅検出器１７と周波数復調器１８にそれぞれ入力される。そして、振幅検出器１７の出力信号と周波数復調器１８の出力信号は、像作成手段１９に入力される。
【００３３】
振幅検出器１７からの信号は、誤差増幅器で構成されるオートゲインコントローラ（ＡＧＣ）２３の一方の入力端子に入力される。ＡＧＣ２３の他方の入力端子には、制御プログラムによって予め指定（設定）できる任意の値である振幅設定値が入力される。
【００３４】
ＡＧＣ２３の出力信号は分岐され、分岐後の一方の当該出力信号は像作成手段１９に入力される。
【００３５】
また、分岐後の他方の当該出力信号は、増幅器９にフィードバックされて、増幅器９のゲイン調整に用いられる。当該調整により、設定された振幅でカンチレバー１が常に共振するように超音波振動子１０の加振電圧が変化する。
【００３６】
なお、図１において、電圧制御発振器８、増幅器９、超音波振動子１０、電圧供給回路１５及び加算器１６により、加振手段が構成されている。また、位相比較器１２、位相可変シフター２２、誤差増幅器１３、ＡＧＣ２３及びスイッチ１４により、加振制御手段が構成されている。
【００３７】
また、バンドパスフィルター１１には、４８ｄＢ／Ｏｃｔの急峻な遮断特性を持ったプログラマブルフィルタを外付けして用いることもできる。
【００３８】
以上、図１に示す装置（原子間力顕微鏡）における各部の構成について説明したが、次に動作について説明する。
【００３９】
原子間力顕微鏡の動作として、オペレータは、試料２１が探針２０と離れた状態でＬＤ２とＰＤ３の位置を調整して、カンチレバー１のたわみを表すカンチレバー信号が最適感度で得られるように設定する。このようにしてＬＤ２とＰＤ３の位置が調整されると、ｚ軸制御装置７が動作される。
【００４０】
ｚ軸制御装置７は、試料台４を上昇させて試料２１を探針２０と接触させ、これにより変化するカンチレバー信号のうちのローパスフィルター（ＬＰＦ）６を経由した出力信号が、予め設定された一定値になるように、試料２１のｚ位置制御ループを動作させる。
【００４１】
発振器８の発信周波数が探針２０の試料接触時の共振周波数と一致し、さらにカンチレバー信号の振幅が最大となるように設定電圧Ｖｏを調整し、当該調整が終了後には、設定電圧Ｖｏをその調整された値に保持しておく。
【００４２】
この状態で、位相比較器１２の出力Ｖｐが参照電圧Ｖｒｅｆと一致するように、可変位相シフター２２を調整して発信出力信号の可変位相シフト量φを調整し、誤差増幅器１３の出力信号ＶＥをゼロに設定する。以上の各工程においては、帰還制御用スイッチ１４は開（非接続）としておく。
【００４３】
以上の設定を行った後に、発振器８への帰還制御用スイッチ１４を閉（接続）とし、共振周波数追尾の制御ループを作動させる。ただし、この時点では、誤差増幅器１３の出力信号はゼロなので、発振器８の発信周波数は変化しない。
【００４４】
ここで、試料台４をｘｙ方向に２次元的に走査させて、試料２１の走査を開始する。すると、探針２０は、物性が場所によって異なる試料２１上を走査する。当該走査において、探針２０と接触する試料部分の物性に応じて、カンチレバー１の共振周波数が変化し、ＢＰＦ１１の出力信号の位相が変化する。
【００４５】
その結果、位相比較器１２の出力電圧Ｖｐが変化し、これに起因する誤差増幅器１３の反転出力電圧ＶＥが発生する。この出力電圧ＶＥは、加算器１６により設定電圧Ｖｏと加算される。これにより、負帰還が加算器１６にかけられることとなる。当該加算後の出力電圧は発振器８に入力され、発振器８からの発信出力の周波数は、カンチレバー１が共振状態を回復する方向に変化する。以上の共振周波数追尾動作の結果、カンチレバー１は、常に試料２１に接触した状態での共振周波数で振動することとなる。以上の変化は、上記回路構成の動作として、自動的に行われる。
【００４６】
この状態において、振幅検出器１７で検出された振幅（振幅検出値）と予め設定されたカンチレバー１の振幅（振幅設定値）とがＡＧＣ２３に入力され、２つの振幅の差異が誤差信号（差異情報）としてＡＧＣ２３から出力される。ＡＧＣ２３から出力された誤差信号は、像作成手段１９に入力される。
【００４７】
このＡＧＣ２３から出力される誤差信号は、エネルギーの散逸量に対応している。具体的には、当該誤差信号は電圧信号（電圧値）である。この電圧信号における電圧値は、エネルギーの散逸量に対応する物理量であり、カンチレバー１の共振状態における振動の振幅が一定となるように加振手段に加えられるエネルギーに対応するものである。よって、当該誤差信号を像作成手段１９により画像化することにより、カンチレバーの振動に基づくエネルギーの散逸像が正確に形成されることとなり、試料２１とカンチレバー１との接触部でのエネルギーの散逸を正確にマッピングすることができる。
【００４８】
なお、このときＡＧＣ２３から出力された当該誤差信号を分岐して、増幅器９のゲインとして当該増幅器９にフィードバックすることにより、予め設定された振幅でカンチレバー１が常に共振するように、超音波素子１０に供給される加振電圧が変化することとなる。
【００４９】
また、振幅検出器１７は、カンチレバー信号が入力されたＢＰＦ１１の出力信号のＲＭＳ振幅を求めて共振ピーク高さＶｍａｘを取得する。その信号Ｖｍａｘは像作成手段１９に供給される。像作成手段１９は、後述する校正曲線又は感度係数を用いて、カンチレバー１の振動の振幅をＱ値に変換する。
【００５０】
同様に、周波数復調器１８は、ＢＰＦ１１の出力信号の周波数を検出して、求めた共振周波数信号を像作成手段１９に供給する。像作成手段１９は、探針２０の試料走査に伴い、上記の共振周波数信号とＱ値信号をその画像メモリに記録する。これにより、像作成手段１９は、共振周波数像とＱ値像を取得し、それらの像を図示しない表示手段の画面上に表示することもできる。
【００５１】
一方、ＶｍａｘをＱ値に変換する校正曲線又は感度係数を求めるには、対称な共振スペクトル、すなわち線形スペクトルを得ることが必要である。そのため、超音波原子間力顕微鏡の共振スペクトルの対称性検査による線形スペクトルの測定として、発振器８の帰還用スイッチ１４をオフ（開）にした状態で発振器８を作動させ、カンチレバー１にたわみ振動を励起する。
【００５２】
さらに、発振器８の発信周波数を決める入力電圧Ｖｏを掃引して、バンドパスフィルター１１の出力から、カンチレバー１の共振スペクトルを計測する。この際、発信出力の増幅器のゲインが高すぎると、カンチレバーの振幅が過大となり、探針２０が試料２１から間欠的に離れてしまい、スペクトルの対称性が損なわれる。
【００５３】
そこで、スペクトルが共振周波数の左右で対称になり、なおかつ十分良好な信号対雑音比が得られるように、増幅器９のゲインを調整する。これにより、探針２０と試料２１とが常に接触した状態でカンチレバー１が振動する線形共振スペクトルを得る。さらに、線形共振スペクトルのピーク周波数と半値幅を測ってＱ値を算出し、そのときの共振ピーク高さＶｍａｘを記録する。
【００５４】
次に、荷重や、探針２０の試料２１上での位置を変化させるなどの方法により、（Ｑ，Ｖｍａｘ）の異なる値の組合わせを実現して計測する。この過程を数回繰り返して、Ｑ値とＶｍａｘの関係を定量的に示す校正曲線を作成する。なお、Ｑ値と共振ピーク高さＶｍａｘとの間には線形性が成り立つので、一組の測定から感度係数Ｑ／Ｖｍａｘを求めても近似的には差し支えない。このようにして求められた校正曲線と感度係数Ｑ／Ｖｍａｘの情報は、像作成手段１９に記憶される。
【００５５】
なお、探針２０による試料走査（映像走査）の際に、試料２１の表面に凹凸があれば、カンチレバー信号のＬＰＦ６を通った成分は変動するので、これが一定値に戻るように、ｚ軸制御装置７は試料２１のｚ位置を制御する。このｚ位置制御信号はｚ軸制御装置７から像作成手段１９に供給されており、像作成手段１９は、当該試料走査に伴い、上記のｚ位置制御信号をその画像メモリに記録することにより、試料２１の凹凸像を表示手段の画面上に表示される。この時の荷重の値を記録し、共振周波数やＱ値から試料特性を評価する解析において用いる。
【００５６】
以上が、本発明における原子間力顕微鏡の動作の説明である。本発明においては、オートゲインコントローラ（ＡＧＣ）回路を設けてカンチレバーの振幅を一定に保つために必要なエネルギーを計測して画像化することにより、正確な散逸像を得ることができるという効果が得られる。
【００５７】
上述のごとく、本発明における原子間力顕微鏡は、試料２１と接触するための探針２０を有するカンチレバー１と、カンチレバー１に振動を加えるための加振手段と、設定された振幅設定値に基づいて加振手段を制御するための加振制御手段と、カンチレバー１の振動の振幅を検出する振幅検出器（振幅検出手段）１７と、カンチレバー１の振動に基づくエネルギーの散逸像を形成する像作成手段１９とを具備した原子間力顕微鏡であって、当該振幅設定値と振幅検出手段により検出された振幅検出値との差異に基づく誤差信号を加振手段にフィードバックすることにより、カンチレバー１が共振状態となるように加振手段がカンチレバーを振動させるとともに、当該誤差信号に基づいて像作成手段１９がエネルギーの散逸像を形成する。
【００５８】
また、本発明における原子間力顕微鏡を用いたエネルギー散逸像の形成方法は、試料２１と接触するための探針２０を有するカンチレバー１と、カンチレバー１に振動を加えるための加振手段と、設定された振幅設定値に基づいて加振手段を制御するための加振制御手段と、カンチレバー１の振動の振幅を検出する振幅検出器１７と、カンチレバー１の振動に基づくエネルギーの散逸像を形成する像作成手段１９とを具備する原子間力顕微鏡を用いたエネルギー散逸像の形成方法であって、当該振幅設定値と振幅検出手段により検出された振幅検出値との差異に基づく誤差信号を加振手段にフィードバックすることにより、カンチレバー１が共振状態となるように加振手段がカンチレバー１を振動させるとともに、当該誤差信号に基づいて像作成手段１９がエネルギーの散逸像を形成する。
【００５９】
ここで、加振手段は増幅器９を有しており、フィードバックされた当該誤差信号に基づいて増幅器９のゲインが調整される。
【００６０】
さらに、加振制御手段はカンチレバー１の振動の振幅の位相を検出し、検出された位相の変化量に基づいて加振制御手段が加振手段に負帰還をかける。
【００６１】
このように、本発明においては、振幅設定値と振幅検出手段により検出された振幅検出値との差異に基づく差異情報を加振手段にフィードバックすることにより、カンチレバー１が共振状態となるように加振手段がカンチレバー１を振動させ、このときの当該差異情報に基づいて像作成手段１９がエネルギーの散逸像を形成する。
【００６２】
このとき当該差異情報は、カンチレバー１の共振状態における振動の振幅が一定となるように加振手段に加えられるエネルギーに対応するものであるので、当該エネルギーを画像化することができ、正確なエネルギー散逸像を取得することができる。
【図面の簡単な説明】
【００６３】
【図１】本発明における原子間力顕微鏡の構成を示す図である。
【図２】従来技術における原子間力顕微鏡の構成を示す図である。
【符号の説明】
【００６４】
１  カンチレバー
２  レーザーダイオード（ＬＤ）
３  分割フォトダイオード（ＰＤ）
４  試料台
５  演算部
６  ローパスフィルター（ＬＰＦ）
７  ｚ軸制御装置
８  発振器
９  増幅器
１０  超音波振動子
１１  バンドパスフィルター（ＢＰＦ）
１２  位相比較器
１３  誤差増幅器
１４  スイッチ
１５  電圧供給回路
１６  加算器
１７  振幅検出器
１８  周波数復調器
１９  像作成手段
２０  探針
２１  試料
２２  可変位相シフター
２３  オートゲインコントローラ（ＡＧＣ）
２４  ミラー
【図１】
2006292720.tif 000003
【図２】
2006292720.tif 000004